(57)【要約】【課題】本発明は、電子機器の筐体と機能部材との間に形成される隙間、および複数の機能部材間に形成される隙間にゴミなどが混入することを抑制できる入力または表示機能装置とその組立方法を提供することを目的とする。【解決手段】入力機能面３ｃまたは表示機能面を表面に有する機能部材３と、表面または表面と反対側の裏面を覆う保護部材５とを有する入力または表示機能装置１であって、保護部材５が、保護部材５の外縁に額縁状に設けられる第１の遮蔽部６ａおよび第２の遮蔽部６ｂと、第１の遮蔽部６ａおよび第２の遮蔽部６ｂを覆って形成される保護フィルム８とを有し、第１の遮蔽部６ａは、機能部材３に接着されてなり、第１の遮蔽部６ａと保護フィルム８とは互いに非接着で対向し、かつ、第２の遮蔽部６ｂは、保護フィルム８に接着されてなり、第２の遮蔽部６ｂと機能部材３とは互いに非接着で対向することを特徴とする入力または表示機能装置１。【選択図】図２
2015011394.tif 000002
【特許請求の範囲】
【請求項１】
入力機能面または表示機能面を表面に有する機能部材と、前記表面または前記表面と反対側の裏面を覆う保護部材と、を有する入力または表示機能装置であって、
前記保護部材が、前記保護部材の外縁に額縁状に設けられる第１の遮蔽部および第２の遮蔽部と、前記第１の遮蔽部および前記第２の遮蔽部を覆って形成される保護フィルムと、を有し、
前記第１の遮蔽部は、前記機能部材に接着されてなり、前記第１の遮蔽部と前記保護フィルムとは互いに非接着で対向し、かつ、前記第２の遮蔽部は、前記保護フィルムに接着されてなり、前記第２の遮蔽部と前記機能部材とは互いに非接着で対向することを特徴とする入力または表示機能装置。
【請求項２】
前記第１の遮蔽部および前記第２の遮蔽部が、互いに当接していることを特徴とする請求項１に記載の入力または表示機能装置。
【請求項３】
前記第１の遮蔽部が、前記第２の遮蔽部の内側に配置されていることを特徴とする請求項１または請求項２に記載の入力または表示機能装置。
【請求項４】
前記第１の遮蔽部が、第１の接着層を介して前記機能部材に接着されると共に、前記保護フィルムに第２の接着層を介して接着される第１の挿入フィルムの非接着面に接することを特徴とする請求項１から請求項３のいずれか１項に記載の入力または表示機能装置。
【請求項５】
前記第２の遮蔽部が、前記第２の接着層を介して前記保護フィルムに接着されると共に、前記第２の遮蔽部に第３の接着層を介して接着される第２の挿入フィルムの非接着面が、前記機能部材に接することを特徴とする請求項１から請求項４のいずれか１項に記載の入力または表示機能装置。
【請求項６】
入力機能面または表示機能面を表面に有する機能部材と、前記表面または前記表面と反対側の裏面を覆う保護部材と、を有し、前記保護部材が、前記保護部材の外縁に額縁状に設けられる第１の遮蔽部および第２の遮蔽部と、前記第１の遮蔽部および前記第２の遮蔽部を覆って形成される保護フィルムと、を有し、前記第１の遮蔽部が、前記機能部材に接着されてなり、前記第１の遮蔽部と前記保護フィルムとは互いに非接着で対向し、かつ、前記第２の遮蔽部は、前記保護フィルムに接着されてなり、前記第２の遮蔽部と前記機能部材とは互いに非接着で対向する入力または表示機能装置と、他の装置との組み立て方法であって、
前記入力または表示機能装置と前記他の装置とを組み立てる前に、前記保護フィルムを剥がすことによって前記第２の遮蔽部も剥がし、その後に前記入力または表示機能装置と前記他の装置とを第１の遮蔽部を介して組み立てることを特徴とする入力または表示機能装置と他の装置との組立方法。
【発明の詳細な説明】
【技術分野】
【０００１】
本発明は、入力機能面を有するタッチパネルなどや、表示機能面を有する液晶ディスプレイなどの機能部材と、入力機能面または表示機能面などを覆う保護部材と、を有する入力または表示機能装置に係わり、特に保護部材を剥がすことにより他の装置と組み合わせる入力または表示機能装置に関する。
【背景技術】
【０００２】
従来、携帯電話、携帯情報端末、タブレット端末、カメラ、ゲーム装置、ビデオ撮影装置などの電子機器は、表示機能面を有する機能部材、たとえば液晶ディスプレイなどに、入力機能面を有する機能部材、たとえばタッチパネルなどを、表示機能面と入力機能面とが平面視で一致するように重ね合わさせて構成されている。
【０００３】
図１３は、特許文献１に開示される電子機器の断面略図である。入出力一体型の表示装置などの電子機器２２１は、図１３に示すように、入力機能面（座標入力手段）２０３ａを有するタッチパネル２０３が筐体２２２にネジ止め、嵌合、または接着などで固定されている。そして、タッチパネル２０３の裏面側に、表示機能面（表示手段）２０４ａを有する液晶ディスプレイ２０４が設けられている。筐体２２２には、タッチパネル２０３の入力機能面２０３ａを開口するように開口部２２２ａが設けられている。
【０００４】
また、タッチパネル２０３と液晶ディスプレイ２０４との間には、所定の隙間を設けるとともに、その隙間にゴミなどが混入しないように、液晶ディスプレイ２０４の表示機能面の外側の四辺に遮蔽部（遮蔽手段）２０６が設けられている。
【先行技術文献】
【特許文献】
【０００５】
【特許文献１】特開平１０−３０７６６８号公報
【発明の概要】
【発明が解決しようとする課題】
【０００６】
従来例の電子機器２２１における前記所定の隙間は、外部から加わる衝撃によってタッチパネル２０３と液晶ディスプレイ２０４とが接触することを防止するために設けられている。また、遮蔽部２０６は、外部から加わる衝撃を吸収するために、弾性材料により構成されている。
【０００７】
図１４は、従来例の入力機能装置の断面略図である。電子機器に組み込まれた際に、タッチパネルと液晶ディスプレイとの間に所定の隙間を設けるために、従来例の入力機能装置２０１は、図１４に示すように、タッチパネル２０３が遮蔽部２０６を介して保護フィルム２０８で覆われたものが用いられる。
【０００８】
そして、電子機器の組立工程において、図１３、図１４に示すように、入力機能装置２０１の遮蔽部２０６から保護フィルム２０８が剥がされて、タッチパネル２０３が、遮蔽部２０６を介して液晶ディスプレイ２０４に接着される。そして、遮蔽部２０６により所定の間隔に接着されたタッチパネル２０３と液晶ディスプレイ２０４とが、電子機器２２１に組み込まれる。
【０００９】
ところが、遮蔽部２０６は、樹脂スポンジなどの弾性材料により構成されている。そのため、遮蔽部２０６から保護フィルム２０８を剥がす際に、樹脂スポンジなどの弾性材料が破損してゴミなどが発生し易い。よって、遮蔽部２０６を介して、タッチパネル２０３と液晶ディスプレイ２０４を接着する際に、タッチパネル２０３と液晶ディスプレイ２０４の隙間にゴミなどが混入するという課題がある。
【００１０】
本発明の目的は、このような課題を顧みてなされたものであり、電子機器の筐体と機能部材との間に形成される隙間、および複数の機能部材間に形成される隙間にゴミなどが混入することを抑制できる入力または表示機能装置とその組立方法を提供することである。
【課題を解決するための手段】
【００１１】
本発明の入力または表示機能装置は、入力機能面または表示機能面を表面に有する機能部材と、前記表面または前記表面と反対側の裏面を覆う保護部材と、を有する入力または表示機能装置であって、前記保護部材が、前記保護部材の外縁に額縁状に設けられる第１の遮蔽部および第２の遮蔽部と、前記第１の遮蔽部および前記第２の遮蔽部を覆って形成される保護フィルムと、を有し、前記第１の遮蔽部は、前記機能部材に接着されてなり、前記第１の遮蔽部と前記保護フィルムとは互いに非接着で対向し、かつ、前記第２の遮蔽部は、前記保護フィルムに接着されてなり、前記第２の遮蔽部と前記機能部材とは互いに非接着で対向することを特徴とする。
【００１２】
第１の遮蔽部は、機能部材に接着されていると共に、保護フィルムに接着されておらず、第２の遮蔽部は、保護フィルムに接着されていると共に、機能部材に接着されていない。そのため、入力機能面または表示機能面を表面に有する機能部材から、保護フィルムを剥がす際に、第１の遮蔽部は機能部材に接着された状態で残ると共に、保護フィルムは、第１の遮蔽部を破損することなく、第１の遮蔽部から剥がれると共に、第２の遮蔽部は、破損することなく機能部材から剥がれる共に、保護フィルムと一体的に剥がれることができ、ゴミなどが発生することが抑制される。よって、電子機器に機能部材を組み込む際に電子機器の筐体と機能部材とから形成される隙間や、複数の機能部材間に形成される隙間に、ゴミなどが混入することを抑制できる。
【００１３】
よって、本発明によれば、電子機器の筐体と機能部材との間に形成される隙間、および複数の機能部材間に形成される隙間にゴミなどが混入することを抑制できる入力または表示機能装置を提供することが可能である。
【００１４】
前記第１の遮蔽部および前記第２の遮蔽部が、互いに当接していることが好ましい。このような態様であれば、保護部材は、第１の遮蔽部と第２の遮蔽部の当接する面に働く摩擦力により一体化すると共に、第１の遮蔽部と第２の遮蔽部は、当接しているのみなので容易に分離可能である。
【００１５】
前記第１の遮蔽部が、前記第２の遮蔽部の内側に配置されていることが好ましい。電子機器の筐体と機能部材の間、または複数の機能部材の間は、第１の遮蔽部を介して接着される。第１の遮蔽部が第２の遮蔽部の内側に配置される態様であれば、前記接着を行う前の第１の遮蔽部に、外部からゴミなどが付着することを、第２の遮蔽部および第２の遮蔽部に接着される保護フィルムが防止する。
【００１６】
前記第１の遮蔽部が、第１の接着層を介して前記機能部材に接着されると共に、前記保護フィルムに第２の接着層を介して接着される第１の挿入フィルムの非接着面に接することが好ましい。このような態様であれば、機能部材から保護フィルムを剥がす際に、第１の遮蔽部が、機能部材に接着された状態で残ると共に、保護フィルムが、第１の遮蔽部を破損することなく、第１の遮蔽部から剥がれることを、より一層促進できる。
【００１７】
前記第２の遮蔽部が、前記第２の接着層を介して前記保護フィルムに接着されると共に、前記第２の遮蔽部に第３の接着層を介して接着される第２の挿入フィルムの非接着面が、前記機能部材に接することが好ましい。このような態様であれば、機能部材から保護フィルムを剥がす際に、第２の遮蔽部は、破損することなく機能部材から剥がれると共に、保護フィルムと一体に剥がれることを、より一層促進できる。
【００１８】
本発明の組立方法は、入力機能面または表示機能面を表面に有する機能部材と、前記表面または前記表面と反対側の裏面を覆う保護部材とを有し、前記保護部材が、前記保護部材の外縁に額縁状に設けられる第１の遮蔽部および第２の遮蔽部と、前記第１の遮蔽部および前記第２の遮蔽部を覆って形成される保護フィルムとを有し、前記第１の遮蔽部が、前記機能部材に接着されてなり、前記第１の遮蔽部と前記保護フィルムとは互いに非接着で対向し、かつ、前記第２の遮蔽部は、前記保護フィルムに接着されてなり、前記第２の遮蔽部と前記機能部材とは互いに非接着で対向する入力または表示機能装置と、他の装置との組み立て方法であって、前記入力または表示機能装置と前記他の装置とを組み立てる前に、前記保護フィルムを剥がすことによって前記第２の遮蔽部も剥がし、その後に前記入力または表示機能装置と前記他の装置とを第１の遮蔽部を介して組み立てることを特徴とする。
【００１９】
第１の遮蔽部は、機能部材に接着されていると共に、保護フィルムに接着されておらず、第２の遮蔽部は、保護フィルムに接着されていると共に、機能部材に接着されていない。そのため、入力機能面または表示機能面を表面に有する機能部材から、保護フィルムを剥がす際に、第１の遮蔽部は機能部材に接着された状態で残ると共に、保護フィルムは、第１の遮蔽部を破損することなく、第１の遮蔽部から剥がれると共に、第２の遮蔽部は、破損することなく機能部材から剥がれる共に、保護フィルムと一体的に剥がれることができ、ゴミなどが発生することが抑制される。よって、電子機器に機能部材を組み込む際に電子機器の筐体と機能部材とから形成される隙間や、複数の機能部材間に形成される隙間に、ゴミなどが混入することを抑制できる。
【００２０】
よって、本発明によれば、電子機器の筐体と機能部材との間に形成される隙間、および複数の機能部材間に形成される隙間にゴミなどが混入することを抑制できる入力または表示機能装置の組立方法を提供するが可能である。
【発明の効果】
【００２１】
本発明によれば、電子機器の筐体と機能部材との間に形成される隙間、および複数の機能部材間に形成される隙間にゴミなどが混入することを抑制できる入力または表示機能装置とその組立方法を提供することが可能である。
【図面の簡単な説明】
【００２２】
【図１】第１の実施形態に係わる入力機能装置の斜視図である。
【図２】図１に示すＡ−Ａ線に沿って切断し矢印方向から視る断面略図である。
【図３】図２の点線Ｂで囲む領域の部分拡大断面略図である。
【図４】第１の実施形態に係わる入力機能装置の製造方法の説明図である。
【図５】第１の実施形態に係わる電子機器の断面略図である。
【図６】第１の実施形態に係わる入力機能装置と液晶ディスプレイとの組立方法の説明図である。
【図７】第１の実施形態の変形例に係わる電子機器の断面略図である。
【図８】第２の実施形態に係わる入力機能装置と電子機器の断面略図である。
【図９】第３の実施形態に係わる表示機能装置の断面略図である。
【図１０】図９の点線Ｃで囲む領域の部分拡大断面略図である。
【図１１】第３の実施形態の変形例に係わる電子機器の断面略図である。
【図１２】第４の実施形態に係わる表示機能装置と電子機器の断面略図である。
【図１３】特許文献１に開示される電子機器の断面略図である。
【図１４】従来例の入力機能装置の断面略図である。
【発明を実施するための形態】
【００２３】
以下、本発明の実施形態の入力または表示機能装置とその組立方法について図面を用いて詳細に説明する。なお、各図面の寸法は適宜変更して示している。
【００２４】
＜第１の実施形態＞
図１は、第１の実施形態に係わる入力機能装置の斜視図である。図２は、図１に示すＡ−Ａ線に沿って切断し矢印方向から視る断面略図である。図３は、図２の点線Ｂで囲む領域の部分拡大断面略図である。図４は、第１の実施形態に係わる入力機能装置の製造方法の説明図である。図５は、第１の実施形態に係わる電子機器の断面略図である。図６は、第１の実施形態に係わる入力機能装置と液晶ディスプレイとの組立方法の説明図である。
【００２５】
図５は、第１の実施形態に係わる電子機器の断面略図である。タッチパネル３１が、図５に示すように、電子機器４０の筐体２２に固定され、タッチパネル３１に液晶ディスプレイ４１が接着されている。そして、タッチパネル３１と液晶ディスプレイ４１との間には、所定の隙間が設けられるとともに、その隙間にゴミなどが混入しないように、液晶ディスプレイ４１の表示機能面４１ａの外側の四辺に第１の遮蔽部６ａが設けられている。
【００２６】
本実施形態の入力機能装置１は、図１、図２に示すように、入力機能面３ａを表面に有する機能部材３と、入力機能面３ａと反対側の裏面３ｃを覆う保護部材５を有して構成されている。入力機能面３ａには、第４の接着層１２を介して保護シート９が貼り合わされている。本実施形態の機能部材３は、入力操作位置を検知するタッチパネル３１であり、入力機能面３ａに、入力機能面３ａの側からタッチペンや指などを接近、または押圧することにより入力操作が行われる。そして、入力機能面３ａの外周に、入力機能面３ａを囲むように、非入力面３ｂが配置されている。本実施形態の入力機能装置１においては、機能部材３の裏面３ｃが保護部材５に覆われており、機能部材３の表面に保護シート９が貼り合わされている。なお、機能部材３においては、電子機器に組み込まれた状態で、入力操作が行われる側を表面とし、その反対側を裏面としている。
【００２７】
保護部材５は、保護部材５の外縁に額縁状に設けられる第１の遮蔽部６ａおよび第２の遮蔽部６ｂ、第１の遮蔽部６ａおよび第２の遮蔽部６ｂを覆って形成される保護フィルム８などを有して構成されている。保護部材５の外縁の額縁領域は、タッチパネル３１の非入力面３１ｂに対応して設けられ、第１の遮蔽部６ａおよび第２の遮蔽部６ｂは、タッチパネル３１の非入力面３１ｂに対向して配置される。そして、第１の遮蔽部６ａは、第２の遮蔽部６ｂの内側に、すなわち第２の遮蔽部６ｂに対して入力機能面３１ａ側に配置される。本実施形態においては、第１の遮蔽部６ａと第２の遮蔽部６ｂは、互いに当接しているが、容易に分離可能である。
【００２８】
第１の遮蔽部６ａは、タッチパネル３１の裏面３１ｃに接着されており、保護フィルム８には接着されていない。すなわち、第１の遮蔽部６ａは、図３に示すように、第１の遮蔽部６ａのタッチパネル３１に対向する表面６ｃが、タッチパネル３１の裏面３１ｃに第１の接着層１０ａを介して接着されている。また、第１の遮蔽部６ａの保護フィルム８に対向する裏面６ｄが、保護フィルム８に第２の接着層１１を介して接着される第１の挿入フィルム１４の非接着面１４ａに接している。そのため、第１の遮蔽部６ａは、保護フィルム８には接着されていない。
【００２９】
第２の遮蔽部６ｂは、タッチパネル３１に接着されておらず、保護フィルム８に接着されている。すなわち、第２の遮蔽部６ｂのタッチパネル３１に対向する表面６ｅに第３の接着層１０ｂを介し接着される第２の挿入フィルム１５の非接着面１５ａが、図３に示すように、タッチパネル３１の裏面３１ｃに接している。そのため、第２の遮蔽部６ｂは、タッチパネル３１に接着されていない。第２の遮蔽部６ｂの保護フィルム８に対向する裏面６ｆが、保護フィルム８に第２の接着層１１を介して接着されている。
【００３０】
本実施形態においては、第１の遮蔽部６ａの裏面６ｄと第１の挿入フィルム１４の非接着面１４ａ、および第２の挿入フィルム１５の非接着面１５ａとタッチパネル３１の裏面３１ｃが接しているとしたが、これに限定されるものではない。第１の遮蔽部６ａの裏面６ｄと第１の挿入フィルム１４の非接着面１４ａ、および第２の挿入フィルム１５の非接着面１５ａとタッチパネル３１の裏面３１ｃが、間隔を隔てて対向することや、非接着物が挿入されていることも可能である。
【００３１】
本実施形態の第１の遮蔽部６ａおよび第２の遮蔽部６ｂは、ポリウレタンなどの合成樹脂や、ゴム素材などを発泡成形して作成されたスポンジなどの弾性体部材から構成されている。このスポンジは、その内部に細かな孔が無数に空いた多孔質の柔らかい物質である。
【００３２】
第１の実施形態に係わる入力機能装置１の製造方法を、図４を用いて説明する。図４（ａ）に示す工程において、保護フィルム８の表面８ａに第２の接着層１１を介して第１の挿入フィルム１４を接着する。次に、図４（ｂ）に示す工程において、額縁状に、第１の挿入フィルム１４が切断され、第１の挿入フィルム１４の額縁状部分が剥離されて、第１の組立体１８が形成される。その結果、第１の組立体１８においては、第２の接着層１１の接着面１１ａが、額縁状に露出する。
【００３３】
図４（ｃ）に示す工程において、平面視で矩形状のスポンジなどのからなる弾性体部材６の表面６ｃに、接着層１０を介して第２の挿入フィルム１５を接着して、第２の組立体１９が形成される。次に、第２の組立体１９に第１の組立体１８を平面視で一致するように重ねて、第１の組立体１８の額縁状に露出する接着面１１ａを、第２の組立体１９の弾性体部材６の裏面６ｄに当接させた状態で押圧するなどして、第１の組立体１８と第２の組立体１９を接着する。
【００３４】
図４（ｄ）に示す工程において、第２の挿入フィルム１５、接着層１０、および弾性体部材６を、第２の組立体１９の表面側から額縁状に切断する。その結果、符合１７ａに示す切断面が形成される。そして、額縁状に形成される切断面１７ａの内側に配置される第２の組立体１９の一部分である第２の組立体中央部１９ａが剥離される。その際、第２の組立体中央部１９ａの領域においては、第１の挿入フィルム１４の表面の非接着面１４ａと弾性体部材６の裏面６ｄは、第２の接着層１１を介さないで直接に接して構成されているので、第２の組立体中央部１９ａは容易に剥離することができる。そして、第２の組立体中央部１９ａの外側に額縁状に配置される第２の組立体１９の外周部分１９ｂは、第１の遮蔽部および第２の遮蔽部の前駆体に相当する。ここで、第２の組立体１９の外周部分１９ｂは、第２の接着層１１を介して保護フィルム８に接着されているので、剥離されないで残る。
【００３５】
図４（ｅ）に示す工程において、表面側から額縁状に、第１の遮蔽部と第２の遮蔽部の境目に相当する箇所において第２の挿入フィルム１５を切断する。その結果、符合１７ｂに示す切断面が形成される。そして、額縁状に形成される切断面１７ｂの内側に配置される第２の挿入フィルム１５を剥離する。その際、第２の挿入フィルム１５の接着層１０に接する面に、たとえばシリコーンなどを塗布しておき、第２の挿入フィルム１５と接着層１０との接着力を、接着面１１ａと弾性体部材６の裏面６ｄとの接着力より小さく設定する。
【００３６】
図４（ｆ）に示す工程において、額縁状に形成される切断面１７ｂに連接するように、接着層１０と弾性体部材６を切断する。その結果、切断面１７ｂに連接される切断面１７ｃが形成されることにより、保護部材５が形成される。
【００３７】
保護部材５は、第１の遮蔽部６ａ、第２の遮蔽部６ｂ、保護フィルム８、第１の挿入フィルム１４、第２の挿入フィルム１５、第１の接着層１０ａ、第３の接着層１０ｂ、および第２の接着層１１を有して構成されている。そして、第２の遮蔽部６ｂの裏面が、第２の接着層１１を介して保護フィルム８に接着されており、第２の遮蔽部６ｂの表面が、第３の接着層１０ｂを介して第２の挿入フィルム１５に接着されている。第１の遮蔽部６ａの裏面６ｄ（図３に図示）が、保護フィルム８に第２の接着層１１を介して接着される第１の挿入フィルム１４に接しており、第１の遮蔽部６ａの表面６ｃ（図３に図示）に、第１の接着層１０ａが形成されている。
【００３８】
第１の接着層１０ａおよび第３の接着層１０ｂとは、図４（ｆ）に示す工程において、接着層１０（図４（ｅ）に図示）が切断されて形成される。保護部材５は、第１の接着層１０ａと第３の接着層１０ｂの切断面１７ｃの接着力と、第２の遮蔽部６ｂが第１の遮蔽部６ａを周囲から囲んだ状態で、第１の遮蔽部６ａと第２の遮蔽部６ｂの間に働く摩擦力とによって一体化しているが、容易に分離可能である。
【００３９】
図４（ｆ）に示す工程で形成される保護部材５は、図２に示すように、第１の接着層１０ａを介してタッチパネル３１の裏面３１ｃに接着され、タッチパネル３１の入力機能面３１ａに第４の接着層１２を介して保護シート９が接着されて、入力機能装置１が形成される。
【００４０】
本実施形態においては、第１の遮蔽部６ａと第２の遮蔽部６ｂは、切断面１７ｃにおいて当接しているとしたが、これに限定されるものではない。第１の遮蔽部６ａと第２の遮蔽部６ｂが、切断面１７ｃにおいて間隔を設けて対向していることも可能である。この場合は、保護部材５を収縮変形させた状態で、あるいは真空容器内で、保護部材５を、第１の接着層１０ａを介してタッチパネル３１の裏面３１ｃに接着する。このようにすることで、図２に示すように、保護部材５とタッチパネル３１で囲まれた空間を陰圧にすることができるので、第２の遮蔽部６ｂと第２の遮蔽部６ｂに接着される保護フィルム８は、入力機能装置１に一体化している。そして、第１の遮蔽部６ａと第２の遮蔽部６ｂは、接着されていないので、容易に分離可能である。
【００４１】
入力機能装置１が係わる電子機器４０について、図５を用いて説明する。電子機器４０は、筐体２２内に、入力機能面３１ａを表面に有するタッチパネル３１と、表示機能面４ａを有する機能部材４と、電気回路基板２３とが収容されて構成されている。本実施形態の機能部材４は、入力キーや絵柄などを表示する液晶ディスプレイである。
【００４２】
タッチパネル３１は、筐体２２にネジ止め、嵌合、または接着などで固定される。筐体２２には、開口部２２ａが設けられており、入力機能面３１ａと開口部２２ａが平面視で一致するように、タッチパネル３１は、筐体２２に固定される。液晶ディスプレイ４１が、第１の遮蔽部６ａを介してタッチパネル３１に固定されている。タッチパネル３１と液晶ディスプレイ４１の間には、第１の遮蔽部６ａの厚さに応じて、所定の間隔を有する隙間２４が設けられている。
【００４３】
タッチパネル３１は、開口部２２ａによって外部に露出した状態で配置されるので、外部から衝撃を受け易い。そのため、タッチパネル３１と液晶ディスプレイ４１の間に隙間２４を設けることにより、タッチパネル３１と液晶ディスプレイ４１との接触を防止して、外部から液晶ディスプレイ４１に衝撃が作用することを抑制している。また、第１の遮蔽部６ａは、スポンジなどの弾性体から構成されており、外部からの衝撃を、スポンジなどの弾性体の収縮や振動により緩和する。
【００４４】
このように、タッチパネル３１と液晶ディスプレイ４１の間には隙間２４を設けられており、この隙間２４に、ゴミなどが混入することが懸念される。そのため、本実施形態の電子機器４０においては、隙間２４の外縁全周を遮蔽するように、第１の遮蔽部６ａが設けられており、隙間２４内へのゴミなどの混入を防止している。
【００４５】
電気回路基板２３には、液晶ディスプレイ駆動回路や、ＣＰＵ（Ｃｅｎｔｒａｌ  Ｐｒｏｃｅｓｓｉｎｇ  Ｕｎｉｔ）などが搭載されており、タッチパネル３１や液晶ディスプレイ４１などを制御している。
【００４６】
図６は、第１の実施形態に係わる入力機能装置と液晶ディスプレイとの組立方法の説明図である。本実施形態に係わる入力機能装置１は、図６に示すように、液晶ディスプレイ４１と組み立てられて、図５に示す電子機器４０に組み込まれる。
【００４７】
入力機能装置１と液晶ディスプレイ４１の組立方法について、図６を用いて説明する。まず、図６（ａ）に示す工程において、入力機能装置１を用意する。入力機能装置１は、タッチパネル３１、保護部材５、および保護シート９を有して構成されている。タッチパネル３１は、入力機能面３１ａと反対側の裏面３１ｃが保護部材５に覆われ、入力機能面３１ａに保護シート９が貼り合わされている。
【００４８】
図６（ｂ）に示す工程では、図６（ａ）に示されているタッチパネル３１から保護部材５を構成する部材である第２の遮蔽部６ｂ、保護フィルム８、第１の挿入フィルム１４、第２の挿入フィルム１５、第３の接着層１０ｂ（図３に図示）、および第２の接着層１１を剥離して、タッチパネル３１の裏面３１ｃに第１の接着層１０ａを介して接着される状態で第１の遮蔽部６ａが残される。第２の遮蔽部６ｂは、タッチパネル３１に接着しておらず、かつ、第１の遮蔽部６ａは、保護フィルム８に接着していない。そのため、タッチパネル３１から保護フィルム８を剥離する際に、第１の遮蔽部６ａおよび第２の遮蔽部６ｂは破損することはないので、ゴミなどが発生することはない。よって、ゴミなどが発生することはなく、タッチパネル３１から保護部材５を構成する部材を剥離することができる。
【００４９】
図６（ｃ）に示す工程において、タッチパネル３１の裏面３１ｃに液晶ディスプレイ４１の表示機能面４１ａを対向させて、タッチパネル３１と液晶ディスプレイ４１が、第１の遮蔽部６ａを介して接着される。その際、第１の遮蔽部６ａあるいは液晶ディスプレイ４１の接着面に、予め接着剤の塗布や両面粘着テープの貼り付けなどを施しておき、第１の遮蔽部６ａの表面に液晶ディスプレイ４１を載置した後に、液晶ディスプレイ４１を押圧するなどして接着する。表示機能面４１ａには、液晶ディスプレイ４１の映像が写し出される。
【００５０】
タッチパネル３１と液晶ディスプレイ４１が接着される図６（ｃ）に示す工程の直前、すなわち図６（ｂ）に示す工程において、タッチパネル３１から保護部材５を構成する部材が剥離される。そのため、液晶ディスプレイ４１および第１の遮蔽部６ａとで閉じた隙間２４を形成するタッチパネル３１の裏面３１ｃは、図６（ｃ）に示す工程の直前まで、保護部材５によって覆われている。よって、タッチパネル３１の裏面３１ｃに、傷、汚れ、ゴミの付着などが生じることが抑制されるので、汚れ、ゴミなどの隙間２４への混入が抑制される。
【００５１】
第１の遮蔽部６ａは、図１、図２に示すように、第２の遮蔽部６ｂの内側に配置されている。そのため、第２の遮蔽部６ｂが剥がされる図６（ｂ）に示す工程まで、第２の遮蔽部６ｂは、第１の遮蔽部６ａの外周側面を覆っており、外部からゴミなどが第１の遮蔽部６ａに付着することを防止している。
【００５２】
図６（ｄ）に示す工程において、タッチパネル３１から保護シート９を剥離して、入力機能面３１ａを露出させる。そして、図５に示すように、タッチパネル３１が、筐体２２にネジ止め、嵌合、または接着などで固定されている。このように、タッチパネル３１の入力機能面３１ａには、タッチパネル３１が電子機器４０に組み込まれる直前まで、保護シート９が貼り合わされている。そのため、図６（ｄ）に示す工程以前で、タッチパネル３１の入力機能面３１ａに、傷、汚れ、ゴミの付着など生じることが抑制される。
【００５３】
よって、本実施形態の入力機能装置１を用いれば、タッチパネル３１の裏面３１ｃ、液晶ディスプレイ４１の表示機能面４１ａ、および第１の遮蔽部６ａで形成される隙間２４に、ゴミなどが混入することを抑制できる。
【００５４】
また、本実施形態の入力機能装置１と液晶ディスプレイ４１の組立方法によれば、タッチパネル３１の裏面３１ｃ、液晶ディスプレイ４１の表示機能面４１ａ、および第１の遮蔽部６ａで形成される隙間２４に、汚れや、ゴミなどが混入することを抑制できる。
【００５５】
本実施形態においては、保護フィルム８、保護シート９、第１の挿入フィルム１４、および第２の挿入フィルム１５は、透光性の樹脂材料が用いられており、ポリカーボネート樹脂（ＰＣ）、ポリエチレンテレフタレート樹脂（ＰＥＴ）、ポリエチレンナフタレート樹脂（ＰＥＮ）、環状ポリオレフィン（ＣＯＰ）、ポリメタクリル酸メチル樹脂（ＰＭＭＡ）等の材料が用いられる。
【００５６】
＜変形例＞
図７は、第１の実施形態の変形例に係わる電子機器の断面略図である。第１の実施形態においては、図５に示すように、タッチパネル３１は、第１の遮蔽部６ａを介して液晶ディスプレイ４１に固定される。本変形例においては、図７に示すように、タッチパネル３１は、第１の遮蔽部６ａを介して電子機器４５の筐体２２に固定される。そして、電子機器４５の筐体２２とタッチパネル３１とにより、閉じられた隙間２４が形成される。なお、筐体２２内に収容される部材は省略して図示していない。
【００５７】
本変形例においては、第１の実施形態と同様に、図２に図示する入力機能装置１を用いて、図６に図示する工程と同様な方法により、タッチパネル３１を、第１の遮蔽部６ａを介して電子機器４５の筐体２２に固定する。そのため、図６（ｂ）に示す工程と同様に、ゴミなどが発生することはなく、タッチパネル３１から保護部材５を構成する部材を剥離することができる。
【００５８】
よって、第１の実施形態と同様に、本変形例の入力機能装置１を用いれば、図７に示すように、電子機器４５の筐体２２とタッチパネル３１で形成される隙間２４に、ゴミなどが混入することを抑制できる。同様に、本変形例の入力機能装置１と電子機器４５との組立方法によれば、電子機器４５の筐体２２とタッチパネル３１で形成される隙間２４に、汚れや、ゴミなどが混入することを抑制できる。
【００５９】
本変形例のタッチパネル３１の裏面３１ｃは、第１の実施形態と同様に、隙間２４に向けられている。そして、本変形例においても、タッチパネル３１の裏面３１ｃは、タッチパネル３１が電子機器４５の筐体２２に接着される工程の直前まで、保護部材５によって保護される。
【００６０】
よって、本変形例の入力機能装置１と電子機器４５との組立方法によれば、電子機器４５の筐体２２とタッチパネル３１で形成される隙間２４に、汚れや、ゴミなどが混入することを抑制できる。
【００６１】
＜第２の実施形態＞
図８は、第２の実施形態に係わる入力機能装置と電子機器の断面略図である。第２の実施形態において、第１の実施形態と同じ構成要素は、同じ符号で示している。なお、図８（ｂ）において、筐体２２内に収容される部材は省略して図示していない。
【００６２】
本実施形態の入力機能装置５０が第１の実施形態の入力機能装置１と異なる点は、図８（ａ）に示すように、本実施形態のタッチパネル３１の入力機能面３１ａが保護部材５に覆われていることと、本実施形態の入力機能面３１ａと反対側の裏面３１ｃに第４の接着層１２を介して保護シート９が貼り合わされていることである。本実施形態の入力機能装置５０と第１の実施形態の入力機能装置１は、その他に関しては同様である。
【００６３】
本実施形態に係わる電子機器５５においては、図８（ｂ）に示すように、第１の実施形態における変形例と同様に、タッチパネル３１は、第１の遮蔽部６ａを介して電子機器５５の筐体２２に固定されている。本実施形態が、第１の実施形態における変形例と異なる点は、第１の実施形態における変形例のタッチパネル３１が筐体２２の外方側に接着されているのに対して、本実施形態のタッチパネル３１は筐体２２の内方側に接着されていることである。
【００６４】
本実施形態においては、図８（ａ）を用いて説明するが、タッチパネル３１から第４の接着層１２および保護シート９を剥離した後に、タッチパネル３１から保護フィルム８を剥離する。そして、図８（ｂ）を用いて説明するが、タッチパネル３１が、筐体２２の内方側から、筐体２２の内周面２２ｂに第１の遮蔽部６ａを介して接着される。
【００６５】
本実施形態においては、第１の実施形態と同様に、ゴミなどが発生することはなく、タッチパネル３１から保護部材５を構成する部材を剥離することができる。
【００６６】
よって、第１の実施形態と同様に、本実施形態の入力機能装置５０を用いれば、図８（ｂ）に示すように、電子機器５５の筐体２２とタッチパネル３１で形成される隙間２４に、ゴミなどが混入することを抑制できる。同様に、本実施形態の入力機能装置５０と電子機器５５との組立方法によれば、電子機器５５の筐体２２とタッチパネル３１で形成される隙間２４に、汚れや、ゴミなどが混入することを抑制できる。
【００６７】
本実施形態のタッチパネル３１の裏面３１ｃは、第１の実施形態と同様に、隙間２４に向けられている。そして、本実施形態においても、タッチパネル３１の裏面３１ｃは、タッチパネル３１が電子機器５５の筐体２２に接着される工程の直前まで、保護シート９によって保護される。
【００６８】
よって、本実施形態の入力機能装置５０と電子機器５５との組立方法によれば、電子機器５５の筐体２２とタッチパネル３１で形成される隙間２４に、汚れや、ゴミなどが混入することを抑制できる。
【００６９】
＜第３の実施形態＞
図９は、第３の実施形態に係わる表示機能装置の断面略図である。図１０は、図９の点線Ｃで囲む領域の部分拡大断面略図である。第３の実施形態において、第１の実施形態と同じ構成要素は、同じ符号で示している。
【００７０】
本実施形態は、第１の実施形態におけるタッチパネル３１を、液晶ディスプレイ４１に置き換えたものと同様である。そのため、本実施形態に係わる表示機能装置６０とタッチパネル３１との組立方法は、図６に図示する組立方法において、タッチパネル３１と液晶ディスプレイ４１を置き換えたものと同様である。
【００７１】
本実施形態の表示機能装置６０は、図９に示すように、表示機能面４ａを表面に有する機能部材４と、表示機能面４ａを覆う保護部材５を有して構成されている。表示機能面４ａと反対側の裏面４ｃには、第４の接着層１２を介して保護シート９が貼り合わされている。本実施形態の機能部材４は、液晶ディスプレイ４１である。液晶ディスプレイ４１は、入力キーや絵柄などを表示する表示機能面４１ａを有し、表示機能面４１ａの外側に、表示機能面４１ａを囲むように、非表示面４１ｂを有している。
【００７２】
保護部材５は、保護部材５の外縁に額縁状に設けられる第１の遮蔽部６ａおよび第２の遮蔽部６ｂ、第１の遮蔽部６ａおよび第２の遮蔽部６ｂを覆って形成する保護フィルム８などを有して構成されている。保護部材５の外縁の額縁領域は、液晶ディスプレイ４１の非表示面４１ｂに対応しており、第１の遮蔽部６ａおよび第２の遮蔽部６ｂは、液晶ディスプレイ４１の非表示面４１ｂに対向して配置されている。そして、第１の遮蔽部６ａは、第２の遮蔽部６ｂの外側に、すなわち第２の遮蔽部６ｂに対して非表示面４１ｂ側に配置されている。また、第１の遮蔽部６ａと第２の遮蔽部６ｂは、互いに当接しているが容易に分離可能である。
【００７３】
第１の遮蔽部６ａは、液晶ディスプレイ４１に接着されており、保護フィルム８には接着されていない。第１の遮蔽部６ａは、図１０に示すように、液晶ディスプレイ４１の表示機能面４１ａに第１の接着層１０ａを介して接着されている。また、第１の遮蔽部６ａは、保護フィルム８に第２の接着層１１を介して接着される第１の挿入フィルム１４の非接着面１４ａに接している。そのため、第１の遮蔽部６ａは、保護フィルム８には接着されていない。
【００７４】
第２の遮蔽部６ｂは、液晶ディスプレイ４１に接着されておらず、保護フィルム８に接着されている。第２の遮蔽部６ｂに第３の接着層１０ｂを介し接着される第２の挿入フィルム１５の非接着面１５ａが、図１０に示すように、液晶ディスプレイ４１に接している。そのため、第２の遮蔽部６ｂは、液晶ディスプレイ４１に接着されていない。第２の遮蔽部６ｂは、表面保護フィルム８に第２の接着層１１を介して接着されている。
【００７５】
本実施形態の表示機能装置６０は、第１の実施形態と同様に、液晶ディスプレイ４１から保護部材５を構成する部材である第２の遮蔽部６ｂ、保護フィルム８、第１の挿入フィルム１４、第２の挿入フィルム１５、第３の接着層１０ｂ（図１０に図示）、および第２の接着層１１（図１０に図示）が剥離されて、液晶ディスプレイ４１の表示機能面４１ａに第１の接着層１０ａを介して接着される状態で第１の遮蔽部６ａが残される。第２の遮蔽部６ｂは、液晶ディスプレイ４１に接着しておらず、かつ、第１の遮蔽部６ａは、保護フィルム８に接着していない。そのため、液晶ディスプレイ４１から保護フィルム８を剥離する際に、第１の遮蔽部６ａおよび第２の遮蔽部６ｂは破損することはないので、ゴミなどが発生することはない。よって、ゴミなどが発生することはなく、液晶ディスプレイ４１から保護部材５を構成する部材を剥離することができる。
【００７６】
本実施形態の液晶ディスプレイ４１は、図６（ｃ）に示す工程と同様に、タッチパネル３１の裏面３１ｃと液晶ディスプレイ４１の表示機能面４１ａを対向させて、第１の遮蔽部６ａを介してタッチパネル３１の裏面３１ｃに接着される。
【００７７】
次に、図５に示すように、本実施形態の液晶ディスプレイ４１に接着されたタッチパネル３１が、電子機器４０の筐体２２にネジ止め、嵌合、または接着などで固定されている。このようにして、本実施形態によれば、液晶ディスプレイ４１は、図５に図示するように、電子機器４０に組み込まれる。
【００７８】
よって、本実施形態の表示機能装置６０を用いれば、第１の実施形態と同様に、図５に示すように、タッチパネル３１の裏面３１ｃ、液晶ディスプレイ４１の表示機能面４１ａ、および第１の遮蔽部６ａで形成される隙間２４に、ゴミなどが混入することを抑制できる。
【００７９】
また、本実施形態の表示機能装置６０とタッチパネル３１の組立方法によれば、図５に示すように、タッチパネル３１の裏面３１ｃ、液晶ディスプレイ４１の表示機能面４１ａ、および第１の遮蔽部６ａで形成される隙間２４に、汚れや、ゴミなどが混入することを抑制できる。
【００８０】
＜変形例＞
図１１は、第３の実施形態の変形例に係わる電子機器の断面略図である。第３の実施形態においては、液晶ディスプレイ４１は、タッチパネル３１に接着されて、電子機器４０に組み込まれる。本変形例においては、液晶ディスプレイ４１は、図１１に示すように、電子機器６５の筐体２２に内方側から、筐体２２の内周面２２ｂに第１の遮蔽部６ａを介して接着されることにより、電子機器６５に組み込まれる。なお、図１１において、筐体２２内に収容される部材は省略して図示していない。
【００８１】
本変形例においても、図１１に示すように、電子機器６５の筐体２２と液晶ディスプレイ４１とで閉じられた隙間２４が形成される。そして、本変形例においても、第３の実施形態と同様に、ゴミなどが発生することはなく、液晶ディスプレイ４１から保護部材５を構成する部材を剥離することができる。よって、本変形例においても、汚れ、ゴミなどの隙間２４への混入が抑制される。同様に、本変形例の表示機能装置６０と電子機器６５との組立方法によれば、図１１に示すように、電子機器６５の筐体２２と液晶ディスプレイ４１で形成される隙間２４に、汚れや、ゴミなどが混入することを抑制できる。
【００８２】
本変形例においては、液晶ディスプレイ４１の表示機能面４１ａと反対側の裏面４１ｃが、隙間２４に向けられている。そして、本変形例においては、第２の実施形態と同様に、液晶ディスプレイ４１の裏面４１ｃが、液晶ディスプレイ４１が電子機器６５の筐体２２に接着される工程の直前まで、保護シート９によって保護される。
【００８３】
よって、本変形例の表示機能装置６０と電子機器６５との組立方法によれば、図１１に示すように、電子機器６５の筐体２２と液晶ディスプレイ４１で形成される隙間２４に、汚れや、ゴミなどが混入することを抑制できる。
【００８４】
＜第４の実施形態＞
図１２は、第４の実施形態に係わる表示機能装置と電子機器の断面略図である。本実施形態の表示機能装置７０は、図１２（ａ）に示すように、表示機能面４ａを表面に有する機能部材４と、表示機能面４ａと反対側の裏面４ｃを覆う保護部材５を有して構成されている。表示機能面４ａには、第４の接着層１２を介して保護シート９が貼り合わされている。本実施形態の機能部材４は、液晶ディスプレイ４１である。
【００８５】
本実施形態においては、液晶ディスプレイ４１は、図１２（ｂ）に示すように、筐体２２の外方側から、第１の遮蔽部６ａを介して筐体２２に接着されることにより、電子機器７５に組み込まれる。なお、図１２（ｂ）において、筐体２２内に収容される部材は省略して図示していない。
【００８６】
本実施形態は、第３の実施形態の変形例と同様な方法により、液晶ディスプレイ４１は、第１の遮蔽部６ａを介して筐体２２に接着される。本実施形態と第３の実施形態の変形例との異なる点は、第３の実施形態の変形例の表示機能装置６０において、図９に示すように、表示機能面４１ａが保護部材５に覆われており、本実施形態の表示機能装置７０において、図１２（ａ）に示すように、表示機能面４１ａと反対側の裏面４１ｃが保護部材５に覆われていることである。その他の点に関しては、本実施形態は、第３の実施形態の変形例と同様である。
【００８７】
よって、本実施形態の表示機能装置７０を用いれば、図１２（ｂ）に示すように、電子機器７５の筐体２２と液晶ディスプレイ４１で形成される隙間２４に、ゴミなどが混入することを抑制できる。同様に、本実施形態の表示機能装置７０と電子機器７５との組立方法によれば、図１２（ｂ）に示すように、電子機器７５の筐体２２と液晶ディスプレイ４１で形成される隙間２４に、汚れや、ゴミなどが混入することを抑制できる。
【符号の説明】
【００８８】
１  入力機能装置
２  表示機能装置
３  機能部材
３ａ、３１ａ  入力機能面
３ｂ  非入力面
４  機能部材
４ａ、４１ａ  表示機能面
４ｂ  非表示面
３ｃ、３１ｃ、４ｃ、４１ｃ  裏面
５  保護部材
６  弾性部材
６ａ  第１の遮蔽部
６ｂ  第２の遮蔽部
８  保護フィルム
９  保護シート
１０  接着層
１０ａ  第１の接着層
１０ｂ  第３の接着層
１１  第２の接着層
１２  第４の接着層
１３  第５の接着層
１４  第１の挿入フィルム
１５  第２の挿入フィルム
１６  支持フィルム
１７ａ、１７ｂ  切断面
１８  第１の組立体
１９  第２の組立体
２１  電子機器
２２  筐体
２２ａ  開口部
２３  電気回路基板
２４  隙間
３１  タッチパネル
４１  液晶ディスプレイ
【図１】
2015011394.tif 000003
【図２】
2015011394.tif 000004
【図３】
2015011394.tif 000005
【図４】
2015011394.tif 000006
【図５】
2015011394.tif 000007
【図６】
2015011394.tif 000008
【図７】
2015011394.tif 000009
【図８】
2015011394.tif 000010
【図９】
2015011394.tif 000011
【図１０】
2015011394.tif 000012
【図１１】
2015011394.tif 000013
【図１２】
2015011394.tif 000014
【図１３】
2015011394.tif 000015
【図１４】
2015011394.tif 000016